(57)【特許請求の範囲】
【請求項１】
前面に画像が表示される表示部と、
前記表示部を前面とは反対側である背面から支持するように構成され、背面側に設けられた導電性を有しない非導電性面と、前記非導電性面とは反対側に設けられた導電性を有する導電性面とを有するとともに、前記非導電性面側に基板取付領域を有する基板取付部材と、
前記基板取付部材の前記非導電性面側の前記基板取付領域に取り付けられる回路基板とを備え、
前記基板取付部材の前記非導電性面側の前記基板取付領域以外である非基板取付領域は、外部に露出されており、
前記基板取付部材の前記非導電性面側の前記基板取付領域には、前記基板取付部材の前記導電性面が前記非導電性面側に折り返されることにより形成された第１導電部が設けられており、
前記回路基板は、前記第１導電部を介して接地されている、表示装置。
【請求項２】
前記第１導電部は、前記基板取付部材の前記導電性面が前記非導電性面側に切り起こされて折り返されることにより形成されている、請求項１に記載の表示装置。
【請求項３】
前記基板取付部材の前記基板取付領域を覆うとともに、前記基板取付部材の前記非基板取付領域を露出するように設けられるカバー部材をさらに備え、
前記回路基板は、前記カバー部材により覆われた状態で、前記第１導電部を介して接地されている、請求項１または２に記載の表示装置。
【請求項４】
前記回路基板は、前記第１導電部の前記導電性面上に配置されることにより接地されている、請求項１〜３のいずれか１項に記載の表示装置。
【請求項５】
前記第１導電部は、前記回路基板が締結される締結部を含み、
前記回路基板は、前記第１導電部の前記導電性面上に配置された状態で、締結部材によって前記第１導電部の前記締結部に締結されることにより、前記基板取付部材の前記非導電性面側の前記基板取付領域に取り付けられている、請求項４に記載の表示装置。
【請求項６】
前記締結部を含む前記第１導電部は、複数設けられている、請求項５に記載の表示装置。
【請求項７】
前記第１導電部は、前記回路基板を前記第１導電部の前記導電性面上に配置する際に前記回路基板の位置決めを行うための位置決め部を含む、請求項４〜６のいずれか１項に記載の表示装置。
【請求項８】
前記回路基板を覆うように設けられるシールド部材をさらに備え、
前記基板取付部材の前記非導電性面側の前記基板取付領域には、前記基板取付部材の前記導電性面が前記非導電性面側に折り返されることにより形成された第２導電部が設けられており、
前記シールド部材は、前記第２導電部を介して接地されている、請求項１〜７のいずれか１項に記載の表示装置。
【請求項９】
前記第２導電部は、前記基板取付部材の前記導電性面が前記非導電性面側に切り起こされて折り返されることにより形成されている、請求項８に記載の表示装置。
【請求項１０】
テレビジョン放送を受信する受信部と、
前面に画像が表示される表示部と、
前記表示部を前面とは反対側である背面から支持するように構成され、背面側に設けられた導電性を有しない非導電性面と、前記非導電性面とは反対側に設けられた導電性を有する導電性面とを有するとともに、前記非導電性面側に基板取付領域を有する基板取付部材と、
前記基板取付部材の前記非導電性面側の前記基板取付領域に取り付けられる回路基板とを備え、
前記基板取付部材の前記非導電性面側の前記基板取付領域以外である非基板取付領域は、外部に露出されており、
前記基板取付部材の前記非導電性面側の前記基板取付領域には、前記基板取付部材の前記導電性面が前記非導電性面側に折り返されることにより形成された第１導電部が設けられており、
前記回路基板は、前記第１導電部を介して接地されている、テレビジョン装置。
【発明の詳細な説明】
【技術分野】
【０００１】
この発明は、表示装置およびテレビジョン装置に関し、特に、基板取付部材に取り付けられる回路基板を備える表示装置およびテレビジョン装置に関する。
【背景技術】
【０００２】
従来、基板取付部材に取り付けられる回路基板を備える表示装置が知られている。このような従来の表示装置では、基板取付部材の回路基板が取り付けられる側の表面が導電性を有しない場合に、回路基板を接地することが困難であるという不都合がある。
【０００３】
そこで、従来、基板取付部材の回路基板が取り付けられる側の表面が導電性を有しない場合でも、回路基板を接地することが可能な表示装置が提案されている（たとえば、特許文献１参照）。
【０００４】
上記特許文献１には、導電性を有しない樹脂からなる樹脂フレーム（基板取付部材）に取り付けられる回路基板を備える画像表示装置が開示されている。この画像表示装置では、回路基板のグランドパターンと、画像表示装置の内部に設けられる金属板とを電気的に接続するための専用の接地金具が設けられており、接地金具を介して、基板取付部材に取り付けられた回路基板が接地されている。
【先行技術文献】
【特許文献】
【０００５】
【特許文献１】特開２００９−９０３２号公報
【発明の概要】
【発明が解決しようとする課題】
【０００６】
しかしながら、上記特許文献１に開示された画像表示装置では、回路基板を接地するための専用の接地金具が設けられている分、部品点数が増加するという問題点がある。
【０００７】
この発明は、上記のような課題を解決するためになされたものであり、この発明の１つの目的は、基板取付部材の回路基板が取り付けられる側の表面が導電性を有しない場合でも、部品点数を増加させることなく、回路基板を接地することが可能な表示装置およびテレビジョン装置を提供することである。
【課題を解決するための手段】
【０００８】
この発明の第１の局面による表示装置は、前面に画像が表示される表示部と、表示部を前面とは反対側である背面から支持するように構成され、背面側に設けられた導電性を有しない非導電性面と、非導電性面とは反対側に設けられた導電性を有する導電性面とを有するとともに、非導電性面側に基板取付領域を有する基板取付部材と、基板取付部材の非導電性面側の基板取付領域に取り付けられる回路基板とを備え、基板取付部材の非導電性面側の基板取付領域以外である非基板取付領域は、外部に露出されており、基板取付部材の非導電性面側の基板取付領域には、基板取付部材の導電性面が非導電性面側に折り返されることにより形成された第１導電部が設けられており、回路基板は、第１導電部を介して接地されている。
【０００９】
この発明の第１の局面による表示装置では、上記のように、基板取付部材の非導電性面側の基板取付領域に、基板取付部材の導電性面を非導電性面側に折り返すことにより形成した第１導電部を設け、回路基板を、第１導電部を介して接地する。これにより、回路基板を接地するための専用の部品を別途設けることなく、基板取付部材の導電性面を非導電性面側に折り返すことにより形成した第１導電部を介して回路基板を接地することができるので、部品点数を増加させることなく、回路基板を接地することができる。
【００１０】
上記第１の局面による表示装置において、好ましくは、第１導電部は、基板取付部材の導電性面が非導電性面側に切り起こされて折り返されることにより形成されている。このように構成すれば、基板取付部材の導電性面を非導電性面側に切り起こして折り返すだけで、容易に、第１導電部を形成することができる。
【００１１】
上記第１の局面による表示装置において、好ましくは、基板取付部材の基板取付領域を覆うとともに、基板取付部材の非基板取付領域を露出するように設けられるカバー部材をさらに備え、回路基板は、カバー部材により覆われた状態で、第１導電部を介して接地されている。このように構成すれば、回路基板をカバー部材により覆って回路基板を保護しながら、容易に、第１導電部を介して回路基板を接地することができる。
【００１２】
上記第１の局面による表示装置において、好ましくは、回路基板は、第１導電部の導電性面上に配置されることにより接地されている。このように構成すれば、回路基板と第１導電部を面接触させることができるので、第１導電部により、回路基板を安定して接地することができる。
【００１３】
この場合、好ましくは、第１導電部は、回路基板が締結される締結部を含み、回路基板は、第１導電部の導電性面上に配置された状態で、締結部材によって第１導電部の締結部に締結されることにより、基板取付部材の非導電性面側の基板取付領域に取り付けられている。このように構成すれば、回路基板を接地するための第１導電部の締結部に回路基板を締結することができるので、回路基板を締結するための締結部を別途設けることなく、第１導電部のみにより、回路基板を接地し、かつ、回路基板を基板取付部材に取り付けることができる。
【００１４】
上記第１導電部が締結部を含む表示装置において、好ましくは、締結部を含む第１導電部は、複数設けられている。このように構成すれば、複数の第１導電部に設けられた複数の締結部によって、回路基板を基板取付部材に強固に固定することができる。
【００１５】
上記回路基板が第１導電部の導電性面上に配置される表示装置において、好ましくは、第１導電部は、回路基板を第１導電部の導電性面上に配置する際に回路基板の位置決めを行うための位置決め部を含む。このように構成すれば、第１導電部の位置決め部により、第１導電部と回路基板との相対的な位置を正確に位置決めすることができるので、確実に回路基板を第１導電部を介して接地することができる。
【００１６】
上記第１の局面による表示装置において、好ましくは、回路基板を覆うように設けられるシールド部材をさらに備え、基板取付部材の非導電性面側の基板取付領域には、基板取付部材の導電性面が非導電性面側に折り返されることにより形成された第２導電部が設けられており、シールド部材は、第２導電部を介して接地されている。このように構成すれば、シールド部材を接地するための専用の部品を別途設けることなく、基板取付部材の導電性面を非導電性面側に折り返すことにより形成した第２導電部によりシールド部材を接地することができるので、部品点数を増加させることなく、シールド部材を接地することができる。
【００１７】
この場合、好ましくは、第２導電部は、基板取付部材の導電性面が非導電性面側に切り起こされて折り返されることにより形成されている。このように構成すれば、基板取付部材の導電性面を非導電性面側に切り起こして折り返すだけで、容易に、第２導電部を形成することができる。
【００１８】
この発明の第２の局面によるテレビジョン装置は、テレビジョン放送を受信する受信部と、前面に画像が表示される表示部と、表示部を前面とは反対側である背面から支持するように構成され、背面側に設けられた導電性を有しない非導電性面と、非導電性面とは反対側に設けられた導電性を有する導電性面とを有するとともに、非導電性面側に基板取付領域を有する基板取付部材と、基板取付部材の非導電性面側の基板取付領域に取り付けられる回路基板とを備え、基板取付部材の非導電性面側の基板取付領域以外である非基板取付領域は、外部に露出されており、基板取付部材の非導電性面側の基板取付領域には、基板取付部材の導電性面が非導電性面側に折り返されることにより形成された第１導電部が設けられており、回路基板は、第１導電部を介して接地されている。
【００１９】
この発明の第２の局面によるテレビジョン装置では、上記のように、基板取付部材の非導電性面側の基板取付領域に、基板取付部材の導電性面を非導電性面側に折り返すことにより形成した第１導電部を設け、回路基板を、第１導電部を介して接地する。これにより、回路基板を接地するための専用の部品を別途設けることなく、基板取付部材の導電性面を非導電性面側に折り返すことにより形成した第１導電部を介して回路基板を接地することができるので、部品点数を増加させることなく、回路基板を接地することが可能なテレビジョン装置を提供することができる。
【発明の効果】
【００２０】
本発明によれば、上記のように、基板取付部材の回路基板が取り付けられる側の表面が導電性を有しない場合でも、部品点数を増加させることなく、回路基板を接地することができる。
【図面の簡単な説明】
【００２１】
【図１】本発明の第１実施形態による液晶テレビジョン装置を正面側から見た斜視図である。
【図２】本発明の第１実施形態による液晶テレビジョン装置の背面図である。
【図３】本発明の第１実施形態による液晶テレビジョン装置の分解斜視図である。
【図４】本発明の第１実施形態による液晶テレビジョン装置のリアフレームに取り付けられた電源基板、信号処理基板およびシールド部材を示した背面図である。
【図５】本発明の第１実施形態による液晶テレビジョン装置のブロック図である。
【図６】本発明の第１実施形態による液晶テレビジョン装置のリアフレームの背面図である。
【図７】本発明の第１実施形態による液晶テレビジョン装置のリアフレームの信号処理基板取付部に信号処理基板およびシールド部材を取り付ける手順を説明するための分解斜視図である。
【図８】本発明の第２実施形態による液晶テレビジョン装置のリアフレームの信号処理基板取付部に信号処理基板を取り付ける手順を説明するための分解斜視図である。
【図９】図８に示した４つの信号処理基板取付部のうちの矢印Ｘ１方向側でかつ矢印Ｚ２方向側に位置する１つの信号処理基板取付部を拡大して示した部分拡大図である。
【発明を実施するための形態】
【００２２】
以下、本発明を具体化した実施形態を図面に基づいて説明する。
【００２３】
（第１実施形態）
まず、図１〜図７を参照して、本発明の第１実施形態による液晶テレビジョン装置１００の構成について説明する。なお、液晶テレビジョン装置１００は、本発明の「表示装置」および「テレビジョン装置」の一例である。
【００２４】
図１〜図３に示すように、液晶テレビジョン装置１００は、正面側（矢印Ｙ１方向側）から見て略矩形形状を有するとともに枠状に形成された前部筐体１と、液晶セルからなる表示部２０を有する表示パネル２と、液晶テレビジョン装置１００全体を下方（矢印Ｚ２方向側）から支持するスタンド部材３とを備えている。なお、前部筐体１およびスタンド部材３は、共に樹脂製である。
【００２５】
図２および図３に示すように、前部筐体１の背面側（矢印Ｙ２方向側）には、表示部２０を背面側から支持する板金製のリアフレーム４が配置されている。このリアフレーム４は、ＳＥＣＣ（電気亜鉛めっき鋼板）などにより構成されている。また、リアフレーム４は、背面側から見て前部筐体１よりも小さい略矩形形状を有するように形成されている。なお、リアフレーム４は、本発明の「基板取付部材」の一例である。
【００２６】
ここで、図３に示すように、前部筐体１の背面側（矢印Ｙ２方向側）で、かつ、リアフレーム４の正面側（矢印Ｙ１方向側）には、光反射シート（図示せず）、導光板（図示せず）、表示部２０、および、ＬＥＤ（Ｌｉｇｈｔ  Ｅｍｉｔｔｉｎｇ  Ｄｉｏｄｅ）からなる光源２１などが配置されている。そして、上記図示しない構成要素、表示部２０、光源２１およびリアフレーム４などにより、表示パネル２が構成されている。なお、前部筺体１とリアフレーム４とは、ネジ部材３０によって互いに固定（締結）されている。
【００２７】
また、図２および図３に示すように、リアフレーム４の背面側（矢印Ｙ２方向側）には、樹脂製のカバー部材５が配置されている。このカバー部材５は、背面側から見て、前部筐体１およびリアフレーム４よりも小さい略矩形形状を有するように形成されている。なお、リアフレーム４とカバー部材５とは、ネジ部材３１および３２によって互いに固定（締結）されている。
【００２８】
図２に示すように、カバー部材５は、リアフレーム４の背面（矢印Ｙ２方向側の面）の中央部近傍の領域４０１を覆うとともに、リアフレーム４の背面の外周部近傍の領域４０２を逆Ｕ字状に露出させるように配置されている。そして、リアフレーム４の背面の外周部近傍の逆Ｕ字状に露出された領域４０２と、カバー部材５とにより、液晶テレビジョン装置１００の前部筐体１に対応する後部筐体が構成されている。なお、リアフレーム４の背面の中央部近傍のカバー部材５により覆われた領域４０１は、本発明の「基板取付領域」の一例である。また、リアフレーム４の背面の外周部近傍の逆Ｕ字状に露出された領域４０２は、本発明の「非基板取付領域」の一例である。
【００２９】
ここで、第１実施形態では、リアフレーム４の背面（矢印Ｙ２方向側の面）の一部（領域４０２）が外観部品としての後部筐体を構成することから、外観をよくするために、リアフレーム４の背面は、導電性を有しない塗料によって塗装されている。これにより、リアフレーム４の背面は、導電性を有しない非導電性面を構成している。なお、リアフレーム４の前面（矢印Ｙ１方向側の面）は、リアフレーム４の背面と異なり、外観に影響しないので、塗装されていない。これにより、リアフレーム４の前面は、導電性を有する導電性面を構成している。
【００３０】
図２〜図４に示すように、リアフレーム４の塗装された背面側（矢印Ｙ２方向側の非導電性面側）には、電源基板６と、信号処理基板７と、信号処理基板７を覆う板金製のシールド部材８と、２つのスピーカ９とが設けられている。また、図３および図４に示すように、信号処理基板７には、後述するアンテナ１０１（図５参照）に接続される接続端子７１ａを有するチューナ７１と、複数の外部接続端子７２とが設けられている。なお、チューナ７１は、本発明の「受信部」の一例である。
【００３１】
図２〜図４に示すように、電源基板６および信号処理基板７は、リアフレーム４の塗装された背面（矢印Ｙ２方向側の非導電性面）の中央部近傍の領域４０１において左右方向（Ｘ方向）に並んで配置されている。また、図２および図３に示すように、２つのスピーカ９は、スピーカ取付部材１０（図３参照）に取り付けられた状態で、電源基板６および信号処理基板７よりも下方（矢印Ｚ２方向側）において左右方向に並んで配置されている。
【００３２】
電源基板６は、液晶テレビジョン装置１００全体に電力を供給するために設けられている。また、信号処理基板７は、チューナ７１により受信されたテレビジョン放送の映像信号および音声信号の信号処理を行うために設けられている。ここで、図５に示すように、信号処理基板７のチューナ７１は、テレビジョン放送を受信するためのアンテナ１０１と、表示部２０と、スピーカ９とに接続されている。これにより、信号処理基板７は、アンテナ１０１を介してチューナ７１により受信されたテレビジョン放送の映像信号および音声信号のうち、映像信号を表示部２０に出力するとともに、音声信号をスピーカ９に出力するように構成されている。
【００３３】
図３および図６に示すように、リアフレーム４の塗装された背面（矢印Ｙ２方向側の非導電性面）の中央部近傍の領域４０１には、電源基板６を取り付けるための電源基板取付部４１と、信号処理基板７を取り付けるための信号処理基板取付部４２とが設けられている。電源基板取付部４１は、リアフレーム４の背面の中央部近傍の領域４０１のうちの左側（矢印Ｘ２方向側）の領域に４つ設けられている。また、信号処理基板取付部４２は、リアフレーム４の背面の中央部近傍の領域４０１のうちの右側（矢印Ｘ１方向側）の領域に４つ設けられている。なお、信号処理基板取付部４２は、本発明の「第１導電部」の一例である。
【００３４】
図３に示すように、４つの電源基板取付部４１は、それぞれ、リアフレーム４の塗装された背面（矢印Ｙ２方向側の非導電性面）から電源基板６側（矢印Ｙ２方向側）に突出する凸形状を有するように形成されている。また、４つの電源基板取付部４１は、それぞれ、プレス加工などによりリアフレーム４と一体的に形成されている。なお、図３および図６に示すように、４つの電源基板取付部４１には、それぞれ、ネジ部材３２に螺合するネジ穴４１ａが設けられている。また、図３に示すように、電源基板６の外周部近傍には、電源基板取付部４１のネジ穴４１ａに対応するネジ挿入穴６ａが設けられている。これにより、電源基板取付部４１と、電源基板６とは、ネジ部材３２によって互いに固定（締結）されている。
【００３５】
また、図３、図４および図６に示すように、上記４つの電源基板取付部４１のうちの左側（矢印Ｘ２方向側）に位置する２つの電源基板取付部４１のネジ穴４１ａの近傍には、それぞれ、電源基板６側（矢印Ｙ２方向側）に突出する凸部からなる位置決め部４１ｂが設けられている。また、電源基板６には、上記２つの位置決め部４１ｂに対応する位置決め用穴６ｂが２つ設けられている。これにより、電源基板６の位置決め用穴６ｂに電源基板取付部４１の位置決め部４１ｂが嵌め込まれることによって、電源基板取付部４１と電源基板６とがネジ部材３２によって締結される際における電源基板６の位置決めが行われる。
【００３６】
図３および図７に示すように、４つの信号処理基板取付部４２は、それぞれ、リアフレーム４の塗装された背面（矢印Ｙ２方向側の非導電性面）から信号処理基板７側（矢印Ｙ２方向側）に突出するように形成されている。また、４つの信号処理基板取付部４２は、それぞれ、リアフレーム４と一体的に形成されている。具体的には、４つの信号処理基板取付部４２は、それぞれ、リアフレーム４の塗装されていない前面（矢印Ｙ１方向側の導電性面）が切り起こされて背面側に折り返されることにより形成されている。詳細には、図７に示すように、信号処理基板取付部４２は、リアフレーム４に対して垂直な面（Ｘ−Ｙ平面またはＹ−Ｚ平面）に沿って延びる第１部分４２１と、リアフレーム４に対して平行な面（Ｘ−Ｚ平面）に沿って延びる第２部分４２２とを有するように形成されている。
【００３７】
なお、図３、図６および図７に示すように、信号処理基板取付部４２の第２部分４２２の信号処理基板７側（矢印Ｙ２方向側）の表面（塗装されていない導電性面）には、ネジ部材３３に螺合するネジ穴４２ａが設けられている。また、図３および図７に示すように、信号処理基板７の外周部近傍には、基板取付部４４のネジ穴４２ａに対応するネジ挿入穴７ａが設けられている。これにより、信号処理基板取付部４２と、信号処理基板７とは、ネジ部材３３によって互いに固定（締結）されている。なお、ネジ穴４２ａは、本発明の「締結部」の一例である。また、ネジ部材３３は、本発明の「締結部材」の一例である。
【００３８】
また、図３、図４、図６および図７に示すように、上記４つの信号処理基板取付部４２のうちの右側（矢印Ｘ１方向側）に位置する２つの信号処理基板取付部４２のネジ穴４２ａの近傍には、それぞれ、信号処理基板７側（矢印Ｙ２方向側）に突出する位置決め部４２ｂが設けられている。また、図３、図４および図７に示すように、信号処理基板７には、上記２つの位置決め部４２ｂに対応する位置決め用穴７ｂが２つ設けられている。これにより、信号処理基板７の位置決め用穴７ｂに信号処理基板取付部４２の位置決め部４２ｂが嵌め込まれることによって、信号処理基板取付部４２と信号処理基板７とがネジ部材３３によって締結される際における信号処理基板７の位置決めが行われる。
【００３９】
ここで、信号処理基板取付部４２は、信号処理基板７のリアフレーム４側の面（矢印Ｙ１方向側の面）に形成された図示しないグランドパターンに対応するように設けられている。これにより、信号処理基板取付部４２と信号処理基板７とがネジ部材３３によって締結された際において、信号処理基板７は、信号処理基板取付部４２の第２部分４２２の信号処理基板７側（矢印Ｙ２方向側）の表面（塗装されていない導電性面）上に面接触状態で配置されることによって、信号処理基板取付部４２の第２部分４２２を介して接地されるように構成されている。
【００４０】
また、図３、図４および図７に示すように、信号処理基板取付部４２には、信号処理基板７だけでなく、信号処理基板７を覆うシールド部材８もネジ部材３１によって固定（締結）されている。すなわち、シールド部材８には、信号処理基板取付部４２のネジ穴４２ａに対応するネジ挿入穴８ａが４つ設けられている。これにより、シールド部材８および信号処理基板７は、信号処理基板取付部４２のネジ穴４２ａにネジ部材３３によって共締めされている。なお、シールド部材８には、信号処理基板７のチューナ７１の接続端子７１ａを露出させるための切欠き部８１と、信号処理基板７の外部接続端子７２を露出させるための穴部８２とが設けられている。
【００４１】
また、図３、図４、図６および図７に示すように、リアフレーム４の塗装された背面（矢印Ｙ２方向側の非導電性面）の領域４０１の右側（矢印Ｘ１方向側）の端部近傍には、上下方向（Ｚ方向）に延びる折り返し部４３が設けられている。この折り返し部４３は、リアフレーム４の塗装されていない前面（矢印Ｙ１方向側の導電性面）が切り起こされて背面側（矢印Ｙ２方向側）に折り返されることにより形成されている。
【００４２】
ここで、図４および図７に示すように、折り返し部４３の折り返された表面（塗装されていない導電性面）は、シールド部材８が信号処理基板７を覆うようにリアフレーム４に取り付けられた際において、シールド部材８のリアフレーム４側の面（矢印Ｙ１方向側の面）に面接触状態で接するように構成されている。これにより、シールド部材８が信号処理基板７を覆うように取り付けられた際において、シールド部材８は、折り返し部４３の折り返された表面を介して接地されるように構成されている。なお、折り返し部４３は、本発明の「第２導電部」の一例である。
【００４３】
なお、図４および図７に示すように、リアフレーム４の背面（矢印Ｙ２方向側の非導電性面）の中央部近傍の領域４０１の上側（矢印Ｚ１方向側）の端部近傍の領域には、電源基板６および信号処理基板７に接続される接続配線（図示せず）を通過させるための穴部４４が左右方向（Ｘ方向）に並んで２つ設けられている。
【００４４】
第１実施形態では、上記のように、リアフレーム４の塗装された背面（矢印Ｙ２方向側の非導電性面）側の領域４０１に、リアフレーム４の塗装されていない前面（矢印Ｙ１方向側の導電性面）を背面側に折り返すことにより形成した信号処理基板取付部４２を設け、信号処理基板７を、信号処理基板取付部４２を介して接地する。これにより、信号処理基板７を接地するための専用の部品を別途設けることなく、リアフレーム４の前面を背面側に折り返すことにより形成した信号処理基板取付部４２を介して信号処理基板７を接地することができるので、部品点数を増加させることなく、信号処理基板７を接地することができる。
【００４５】
また、第１実施形態では、上記のように、信号処理基板取付部４２を、リアフレーム４の塗装されていない前面（矢印Ｙ１方向側の導電性面）を塗装された背面（矢印Ｙ２方向側の非導電性面）側に切り起こして折り返すことにより形成する。これにより、リアフレーム４の前面を背面側に切り起こして折り返すだけで、容易に、信号処理基板取付部４２を形成することができる。
【００４６】
また、第１実施形態では、上記のように、リアフレーム４の中央部近傍の領域４０１を覆うとともに、リアフレーム４の外周部近傍の領域４０２を露出するカバー部材５を設け、信号処理基板７を、カバー部材５により覆った状態で、信号処理基板取付部４２を介して接地する。これにより、信号処理基板７をカバー部材５により覆って信号処理基板７を保護しながら、容易に、信号処理基板取付部４２を介して信号処理基板７を接地することができる。
【００４７】
また、第１実施形態では、上記のように、信号処理基板７を、信号処理基板取付部４２の第２部分４２２の信号処理基板７側（矢印Ｙ２方向側）の表面（塗装されていない導電性面）上に配置することにより接地する。これにより、信号処理基板７と信号処理基板取付部４２を面接触させることができるので、信号処理基板取付部４２により、信号処理基板７を安定して接地することができる。
【００４８】
また、第１実施形態では、上記のように、信号処理基板取付部４２に、信号処理基板７が締結されるネジ穴４２ａを設ける。そして、信号処理基板７を、信号処理基板取付部４２の第２部分４２２の信号処理基板７側（矢印Ｙ２方向側）の表面（塗装されていない導電性面）上に配置した状態で、ネジ部材３３によって信号処理基板取付部４２のネジ穴４２ａに締結することにより、リアフレーム４の塗装された背面（矢印Ｙ２方向側の非導電性面）側の領域４０１に取り付ける。これにより、信号処理基板７を接地するための信号処理基板取付部４２のネジ穴４２ａに信号処理基板７を締結することができるので、信号処理基板７を締結するためのネジ穴４２ａを別途設けることなく、信号処理基板取付部４２のみにより、信号処理基板７を接地し、かつ、信号処理基板７をリアフレーム４に取り付けることができる。
【００４９】
また、第１実施形態では、上記のように、ネジ穴４２ａを含む信号処理基板取付部４２を４つ設ける。これにより、４つの信号処理基板取付部４２に設けられた４つのネジ穴４２ａによって、信号処理基板７をリアフレーム４に強固に固定することができる。
【００５０】
また、第１実施形態では、上記のように、信号処理基板取付部４２に、信号処理基板７を信号処理基板取付部４２の第２部分４２２の信号処理基板７側（矢印Ｙ２方向側）の表面（塗装されていない導電性面）上に配置する際に信号処理基板７の位置決めを行うための位置決め部４２ｂを設ける。これにより、信号処理基板取付部４２の位置決め部４２ｂにより、信号処理基板取付部４２と信号処理基板７との相対的な位置を正確に位置決めすることができるので、確実に信号処理基板７を信号処理基板取付部４２を介して接地することができる。
【００５１】
また、第１実施形態では、上記のように、信号処理基板７を覆うシールド部材９を設けるとともに、リアフレーム４の塗装された背面（矢印Ｙ２方向側の非導電性面）側の領域４０１に、リアフレーム４の塗装されていない前面（矢印Ｙ１方向側の導電性面）を背面側に折り返すことにより形成した折り返し部４３を設け、シールド部材９を、折り返し部４３を介して接地する。これにより、シールド部材９を接地するための専用の部品を別途設けることなく、リアフレーム４の前面を背面側に折り返すことにより形成した折り返し部４３によりシールド部材９を接地することができるので、部品点数を増加させることなく、シールド部材９を接地することができる。
【００５２】
また、第１実施形態では、上記のように、折り返し部４３を、リアフレーム４の塗装されていない前面（矢印Ｙ１方向側の導電性面）を塗装された背面（矢印Ｙ２方向側の非導電性面）側に切り起こして折り返すことにより形成する。これにより、リアフレーム４の前面を背面側に切り起こして折り返すだけで、容易に、折り返し部４３を形成することができる。
【００５３】
（第２実施形態）
次に、図１、図２、図５、図８および図９を参照して、本発明の第２実施形態による液晶テレビジョン装置２００のリアフレーム１０４の信号処理基板取付部１４２について説明する。この第２実施形態では、信号処理基板取付部４２がリアフレーム４に対して垂直な面（Ｘ−Ｙ平面またはＹ−Ｚ平面）に沿って延びる第１部分４２１を有する上記第１実施形態と異なり、信号処理基板取付部１４２がリアフレーム４に対して垂直な面（Ｘ−Ｙ平面またはＹ−Ｚ平面）に沿って延びる部分を有しない例について説明する。
【００５４】
第２実施形態による液晶テレビジョン装置２００（図１、図２および図５参照）では、図８および図９に示すように、リアフレーム１０４の塗装された背面（矢印Ｙ２方向側の非導電性面）には、信号処理基板７を取り付けるための信号処理基板取付部１４２が４つ設けられている。なお、液晶テレビジョン装置２００は、本発明の「表示装置」および「テレビジョン装置」の一例である。また、リアフレーム１０４は、本発明の「基板取付部材」の一例である。また、信号処理基板取付部１４２は、本発明の「第１導電部」の一例である。
【００５５】
図８および図９に示すように、４つの信号処理基板取付部１４２は、それぞれ、リアフレーム１０４の塗装された背面（矢印Ｙ２方向側の非導電性面）にプレス加工（絞り加工）などが施されることによってリアフレーム１０４と一体的に形成されている。具体的には、４つの信号処理基板取付部１４２は、それぞれ、リアフレームの背面から信号処理基板７側（矢印Ｙ２方向側）に突出する絞り部からなる凸部１４２１と、凸部１４２１の塗装されていない前面（矢印Ｙ１方向側の導電性面）が切り起こされて背面側（矢印Ｙ２方向側）に折り返されることによって形成された折り返し部１４２２とを含むように形成されている。なお、折り返し部１４２２は、リアフレーム１０４に対して垂直な面（Ｘ−Ｙ平面またはＹ−Ｚ平面）に沿って延びる部分を有しないように、リアフレーム１０４に対して平行な面（Ｘ−Ｚ平面）に沿って延びるように形成されている。
【００５６】
また、図８および図９に示すように、信号処理基板取付部１４２の折り返し部１４２２の信号処理基板７側（矢印Ｙ２方向側）の表面（塗装されていない導電性面）には、信号処理基板７のネジ挿入穴７ａに挿入されるネジ部材３３に螺合するネジ穴１４２ａが設けられている。なお、ネジ穴１４２ａは、本発明の「締結部」の一例である。また、ネジ部材３３は、本発明の「締結部材」の一例である。
【００５７】
ここで、信号処理基板取付部１４２は、信号処理基板７のリアフレーム１０４側の面（矢印Ｙ１方向側の面）に形成された図示しないグランドパターンに対応する位置に配置されている。これにより、信号処理基板取付部１４２と信号処理基板７とがネジ部材３３によって締結された際において、信号処理基板７は、信号処理基板取付部１４２の折り返し部１４２２の信号処理基板７側（矢印Ｙ２方向側）の表面（塗装されていない導電性面）上に面接触状態で配置されることによって、信号処理基板取付部４２の折り返し部１４２２を介して接地されるように構成されている。
【００５８】
なお、図８および図９に示すように、４つの信号処理基板取付部１４２のうちの右側に位置する２つの信号処理基板取付部１４２のネジ穴１４２ａの近傍には、それぞれ、信号処理基板７側（矢印Ｙ２方向側）に突出する位置決め部１４２ｂが設けられている。この位置決め部１４２ｂは、信号処理基板７の位置決め用穴７ｂに対応するように設けられている。これにより、信号処理基板７の位置決め用穴７ｂに信号処理基板取付部１４２の位置決め部１４２ｂが嵌め込まれることによって、信号処理基板取付部１４２と信号処理基板７とがネジ部材３３によって締結される際における信号処理基板７の位置決めが行われる。
【００５９】
なお、第２実施形態のその他の構成は、上記第１実施形態と同様である。
【００６０】
また、第２実施形態の効果は、上記第１実施形態と同様である。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記第１および第２実施形態では、本発明を表示装置としての液晶テレビジョン装置に適用する例を示したが、本発明はこれに限らない。本発明は、ＰＣ（Ｐｅｒｓｏｎａｌ  Ｃｏｍｐｕｔｅｒ）のモニタなどの他の表示装置にも適用可能である。
【００６３】
また、上記第１および第２実施形態では、リアフレーム（基板取付部材）の塗装されていない前面（導電性面）を塗装された背面側（非導電性面側）に折り返すことによって信号処理基板取付部（第１導電部）を形成し、２つの回路基板（電源基板および信号処理基板）のうちの信号処理基板のみを信号処理基板取付部を介して接地する例を示したが、本発明はこれに限らない。本発明では、信号処理基板取付部だけでなく、電源基板取付部をも、リアフレームの塗装されていない前面を塗装された背面側に折り返すことによって形成し、信号処理基板と電源基板との両方を、それぞれ、信号処理基板取付部および電源基板取付部を介して接地するようにしてもよい。
【００６４】
また、上記第１および第２実施形態では、リアフレーム（基板取付部材）の中央部近傍の領域に設けた信号処理基板取付部（第１導電部）に信号処理基板（回路基板）を取り付ける例を示したが、本発明はこれに限らない。本発明では、リアフレームの中央部近傍以外の領域（たとえば、外周部近傍の領域）に設けた信号処理基板取付部に信号処理基板を取り付けるようにしてもよい。
【００６５】
また、上記第１および第２実施形態では、ネジ部材（締結部材）を用いて信号処理基板（回路基板）を信号処理基板取付部（第１導電部）に取り付ける例を示したが、本発明はこれに限らない。本発明では、ネジ部材以外の締結部材（たとえば、カシメ部材）を用いて信号処理基板を信号処理基板取付部に取り付けてもよいし、締結部材以外の部材（たとえば、導電性を有する接着剤）を用いて信号処理基板を信号処理基板取付部に取り付けてもよい。
【００６６】
また、上記第１および第２実施形態では、信号処理基板取付部（第１導電部）を４つ設ける例を示したが、本発明はこれに限らない。本発明では、信号処理基板取付部の個数を３つ以下としてもよいし、５つ以上としてもよい。
【符号の説明】
【００６７】
２  表示パネル
４、１０４  リアフレーム（基板取付部材）
５  カバー部材
８  シールド部材
３３  ネジ部材（締結部材）
４２、１４２  信号処理基板取付部（第１導電部）
４２ａ、１４２ａ  ネジ穴（締結部）
４２ｂ、１４２ｂ  位置決め部
４３  折り返し部（第２導電部）
７１  チューナ（受信部）
１００、２００  液晶テレビジョン装置（表示装置）
４０１  領域（基板取付領域）
４０２  領域（非基板取付領域）
【図１】
0005741370.tif 000002
【図２】
0005741370.tif 000003
【図３】
0005741370.tif 000004
【図４】
0005741370.tif 000005
【図５】
0005741370.tif 000006
【図６】
0005741370.tif 000007
【図７】
0005741370.tif 000008
【図８】
0005741370.tif 000009
【図９】
0005741370.tif 000010